(57)【要約】【課題】化粧天井に配置された機材の揺れを効果的に抑制して化粧天井と機材の干渉を防止することが可能な天井補強構造を提供する。【解決手段】天井補強構造１は、複数の天井用吊ボルト４を介して上部構造体Ｙに吊り下げ支持された化粧天井３と、複数の機材用吊ボルト６を介して上部構造体Ｙに吊り下げ支持され、化粧天井３を貫通して配置された空調装置５と、水平方向に延設され、天井用吊ボルト４と機材用吊ボルト６とを連結する複数の補強部材７と、を備えることを特徴とする。【選択図】図１
2013060703.tif 000002
【特許請求の範囲】
【請求項１】
複数の天井用吊ボルトを介して上部構造体に吊り下げ支持された化粧天井と、
複数の機材用吊ボルトを介して前記上部構造体に吊り下げ支持され、前記化粧天井を貫通して配置された機材と、
水平方向に延設され、前記天井用吊ボルトと前記機材用吊ボルトとを連結する複数の補強部材と、を備えることを特徴とする天井補強構造。
【請求項２】
前記複数の機材用吊ボルトは、前記機材の一面側に取り付けられた２つの機材用吊ボルトと、前記機材の反対面側に取り付けられた他の２つの機材用吊ボルトと、を少なくとも含んで構成され、
前記補強部材は、前記２つの機材用吊ボルト同士を連結する第１補強部材と、前記他の２つの機材用吊ボルト同士を連結し、前記第１補強部材に平行な第２補強部材と、平面視で前記第１補強部材及び前記第２補強部材に直交するとともに前記機材の両外側に配置され、前記複数の天井用吊ボルト同士をそれぞれ連結する一対の第３補強部材と、を有し、
前記第１補強部材と前記各第３補強部材との交点に配置された前記天井用吊ボルトは、前記第１補強部材及び前記第３補強部材にそれぞれ連結され、
前記第２補強部材と前記各第３補強部材との交点には、前記第２補強部材に連結するとともに、前記第３補強部材と前記化粧天井とを連結する一対の第１補強用吊ボルトが設けられ、
前記２つの機材用吊ボルトには、平面視で前記第１補強部材に対して４５度の角度で延出する一対の斜め補強部材の一端部がそれぞれ取り付けられ、
前記一対の斜め補強部材の他端部は、前記第３補強部材と前記化粧天井とを連結する一対の第２補強用吊ボルトにそれぞれ取り付けられ、
前記他の２つの機材用吊ボルトには、他の一対の斜め補強部材の一端部がそれぞれ取り付けられ、
前記他の一対の斜め補強部材の他端部は、前記第３補強部材に連結された複数の天井用吊ボルトのうち、前記一対の第１補強用吊ボルトに対して前記第１補強部材と反対側で隣り合う天井用吊ボルトに取り付けられている
ことを特徴とする請求項１に記載の天井補強構造。
【請求項３】
前記第１補強部材の上方に前記第１補強部材と平行に配置され、前記第１補強部材と前記第３補強部材との交点に配置された前記天井用吊ボルトと前記２つの機材用吊ボルトとを少なくとも連結する上部補強部材を備えることを特徴とする請求項２に記載の天井補強構造。
【請求項４】
前記補強部材と前記上部補強部材との間に配置された中間補強部材をさらに備え、
前記中間補強部材は、
前記他の一対の斜め補強部材の他端部に取り付けられた２つの前記天井用吊ボルト同士を連結する第１中間補強部材と、
前記第１中間補強部材に直交し、前記第１中間補強部材に連結された前記天井用吊ボルトを中心として少なくとも３つの前記天井用吊ボルトに連結された第２中間補強部材と、を備えることを特徴とする請求項３に記載の天井補強構造。
【発明の詳細な説明】
【技術分野】
【０００１】
本発明は、天井補強構造に関し、より詳しくは、空調装置やダクトなどの機材を備える吊天井の補強構造に関する。
【背景技術】
【０００２】
従来、屋根や上階床スラブなどの上部構造体から吊ボルトによって化粧天井を吊り下げ支持するいわゆる吊天井が知られている。上部構造体と化粧天井との間に形成された空間には、空調装置やダクトなどの機材が配設されている。これらの機材は、通常、化粧天井とは独立した状態で、上部構造体に吊り下げ支持されている。
例えば、特許文献１では、空調装置の振動を抑制するために、上部構造体と空調装置とを剛体接続することで、空調装置の振れ止めを行なっている。
【先行技術文献】
【特許文献】
【０００３】
【特許文献１】特開２００２−３６４９１１号公報（請求項１、図１）
【発明の概要】
【発明が解決しようとする課題】
【０００４】
しかしながら、上部構造体と空調装置とを剛体接続したとしても、地震等で比較的大きな振動が入力すると、空調装置が振動してしまう。このとき、空調装置と化粧天井の揺れ方が異なるため、お互いに干渉して例えば化粧天井が損傷するおそれがある。
【０００５】
本発明は、これらの問題に鑑みて成されたものであり、化粧天井に配置された機材の揺れを効果的に抑制して化粧天井と機材の干渉を防止することが可能な天井補強構造を提供することを課題とする。
【課題を解決するための手段】
【０００６】
本発明に係る天井補強構造は、複数の天井用吊ボルトを介して上部構造体に吊り下げ支持された化粧天井と、複数の機材用吊ボルトを介して前記上部構造体に吊り下げ支持され、前記化粧天井を貫通して配置された機材と、水平方向に延設され、前記天井用吊ボルトと前記機材用吊ボルトとを連結する複数の補強部材と、を備えることを特徴とする。
【０００７】
このような構成によれば、天井用吊ボルトと機材用吊ボルトとが、水平方向に延設された複数の補強部材で連結されているので、機材の揺れが補強部材によって効果的に抑制されるとともに、化粧天井と機材とが一体的に揺れる構造となる。そのため、地震等の大きな揺れが生じても上部構造体に吊り下げ支持された機材が化粧天井に当接することがなく、化粧天井（あるいは機材）の損傷を防止することができる。
【０００８】
また、本発明は、前記複数の機材用吊ボルトは、前記機材の一側面に取り付けられた２つの機材用吊ボルトと、前記機材の一側面と反対の側面に取り付けられた他の２つの機材用吊ボルトと、を少なくとも含んで構成され、前記補強部材は、前記２つの機材用吊ボルト同士を連結する第１補強部材と、前記他の２つの機材用吊ボルト同士を連結し、前記第１補強部材に平行な第２補強部材と、平面視で前記第１補強部材及び前記第２補強部材に直交するとともに前記機材の両外側に配置され、前記複数の天井用吊ボルト同士をそれぞれ連結する一対の第３補強部材と、を有し、前記第１補強部材と前記各第３補強部材との交点に配置された前記天井用吊ボルトは、前記第１補強部材及び前記第３補強部材にそれぞれ連結され、前記第２補強部材と前記各第３補強部材との交点には、前記第２補強部材に連結するとともに、前記第３補強部材と前記化粧天井とを連結する一対の第１補強用吊ボルトが設けられ、前記２つの機材用吊ボルトには、平面視で前記第１補強部材に対して４５度の角度で延出する一対の斜め補強部材の一端部がそれぞれ取り付けられ、前記一対の斜め補強部材の他端部は、前記第３補強部材と前記化粧天井とを連結する一対の第２補強用吊ボルトにそれぞれ取り付けられ、前記他の２つの機材用吊ボルトには、他の一対の斜め補強部材の一端部がそれぞれ取り付けられ、前記他の一対の斜め補強部材の他端部は、前記第３補強部材に連結された複数の天井用吊ボルトのうち、前記一対の第１補強用吊ボルトに対して前記第１補強部材と反対側で隣り合う天井用吊ボルトに取り付けられている構成とするのが好ましい。
【０００９】
このような構成によれば、少なくとも４つの機材用吊ボルトは、平面視で井桁状に組まれた第１、第２及び第３補強部材を介して複数の天井用吊ボルトに連結されており、また、各機材用吊ボルトは、斜め補強部材を介して天井用吊ボルト又は補強用吊ボルトに連結されているので、機材の揺れが一層抑制されるとともに化粧天井と機材の揺れの周期を一致させて両者を一体的に揺らすことができる。
【００１０】
また、本発明は、前記第１補強部材の上方に前記第１補強部材と平行に配置され、前記第１補強部材と前記第３補強部材との交点に配置された前記天井用吊ボルトと前記２つの機材用吊ボルトとを少なくとも連結する上部補強部材を備える構成とするのが好ましい。
【００１１】
このような構成によれば、第１補強部材よりも上方において、上部補強部材によって天井用吊ボルトと機材用吊ボルトとが連結されているので、機材の揺れが一層抑制されるとともに化粧天井と機材の揺れの周期を一致させて両者を一体的に揺らすことができる。
【００１２】
また、本発明は、前記補強部材と前記上部補強部材との間に配置された中間補強部材をさらに備え、前記中間補強部材は、前記他の一対の斜め補強部材の他端部に取り付けられた２つの前記天井用吊ボルト同士を連結する第１中間補強部材と、前記第１中間補強部材に直交し、前記第１中間補強部材に連結された前記天井用吊ボルトを中心として少なくとも３つの前記天井用吊ボルトに連結された第２中間補強部材と、を備える構成とするのが好ましい。
【００１３】
このような構成によれば、補強部材と上部補強部材の間に中間補強部材が設置され、この中間補強部材によって斜め補強部材が連結された天井用吊ボルトが補強されるので、機材の揺れを一層抑制することができるとともに、機材と化粧天井の揺れの周期を一致させて両者を一体的に揺らすことができる。
【発明の効果】
【００１４】
本発明によれば、化粧天井に配置された機材の揺れを効果的に抑制して化粧天井と機材の干渉を防止することが可能な天井補強構造を提供することができる。
【図面の簡単な説明】
【００１５】
【図１】実施形態に係る天井補強構造を模式的に示した平面図である。
【図２】図１に示すＩ−Ｉ矢視の側面図である。
【図３】図１に示すＩＩ−ＩＩ矢視の側面図である。
【図４】補強部材と天井用吊ボルトとを連結金具で連結した状態を示す斜視図である。
【発明を実施するための形態】
【００１６】
本発明の実施形態について、図１乃至図３を参照して詳細に説明する。説明において、同一の要素には同一の番号を付し、重複する説明は省略する。なお、説明において方向を示すときは、説明の便宜のため、図１乃至図３に示す前後左右上下に基づいて説明する。
【００１７】
図１に示すように、本実施形態に係る天井補強構造１は、複数の天井用吊ボルト４を介して上部構造体Ｙ（図２，３参照）に吊り下げ支持された化粧天井３と、複数の機材用吊ボルト６を介して上部構造体Ｙに吊り下げ支持された機材たる空調装置５と、天井用吊ボルト４と機材用吊ボルト６とを連結する複数の補強部材７と、を主に備えている。
【００１８】
図２、図３に示すように、上部構造体Ｙは、化粧天井３の上部に位置する構造体であり、例えば上階の床スラブや屋根構造物などで構成されている。上部構造体Ｙには、後記する天井用吊ボルト４及び機材用吊ボルト６を取り付けるための複数のアンカー（図示省略）が、所定位置に取り付けられている。
【００１９】
化粧天井３は、いわゆるシステム天井であり、上部構造体Ｙから下方に離間した位置に配置されている。化粧天井３と上部構造体Ｙとの間には、空調装置５やダクト（不図示）などの機材を配設する空間が形成されている。
化粧天井３は、例えば、天井面を構成する面材３１と、面材を支持する胴縁や胴縁受けなどからなる天井下地３２と、で構成されている。化粧天井３は、複数の天井用吊ボルト４を介して上部構造体Ｙに吊り下げ支持されている。
【００２０】
天井用吊ボルト４は、化粧天井３を吊り下げ支持するための部材であり、長尺に形成された鋼製の棒状部材で構成されている。天井用吊ボルト４は、前後方向及び左右方向に互いに等間隔（正方格子状）に配置されている。天井用吊ボルト４の上端部は上部構造体Ｙに設けられた不図示のアンカーに結合されている。天井用吊ボルト４の下端部は、公知の吊金具を介して化粧天井３の天井下地３２に取り付けられている。
【００２１】
なお、図示は省略するが、天井用吊ボルト４の下端部にはねじ溝が刻設されており、このねじ溝に螺合したナット（ロックナット）に吊金具が係止されている。このナットを回転させることで化粧天井３の上下位置を調節することができる。
【００２２】
機材たる空調装置５は、例えばパッケージエアコンであり、平面視で正方形の四隅を面取りした形状（八角形状）を呈している。空調装置５は、面取りされた４つの側面にそれぞれ結合された４つの機材用吊ボルト６を介して上部構造体Ｙに吊り下げ支持されている。空調装置５の下端側は、化粧天井３を貫通して下方の居室空間に露出している。
【００２３】
機材用吊ボルト６は、機材たる空調装置５を吊り下げ支持するための部材であり、天井用吊ボルト４と同様に、長尺に形成された鋼製の棒状部材で構成されている。機材用吊ボルト６の上端部は、上部構造体Ｙに設けられた図示しないアンカーに結合されている。機材用吊ボルト６の下端部は、空調装置５の四隅の面取り部位に結合されている。本実施形態では、隣り合う機材用吊ボルト６同士の間隔は、前記した天井用吊ボルト４同士の間隔よりも小さい。機材用吊ボルト６には、斜め補強部材８が取り付けられている。斜め補強部材８については後記する。
【００２４】
なお、以下の説明において、４つの機材用吊ボルト６を区別して説明する場合は、空調装置５の一面である左側面５ａに連続する面取り部位に連結された２つの機材用吊ボルト６を「機材用吊ボルト６ａ，６ａ」とし、空調装置５の反対面である右側面５ｂに連続する面取り部位に連結された２つの機材用吊ボルト６を「機材用吊ボルト６ｂ，６ｂ」として説明する。
【００２５】
補強部材７は、天井用吊ボルト４と機材用吊ボルト６とを連結する部材である。補強部材７は、図２、図３に示すように、水平方向に延設されている。補強部材７を構成する部材は、特に限定されるものではないが、例えば断面コ字状の軽量溝形鋼で構成することができる。補強部材７は、第１補強部材７１と、第２補強部材７２と、一対の第３補強部材７３と、を備えている。
【００２６】
第１補強部材７１は、空調装置５の左側に取り付けられた２つの機材用吊ボルト６ａ，６ａに連結されている。また第１補強部材７１は、複数の天井用吊ボルト４のうち、平面視で機材用吊ボルト６ａ，６ａを通る直線上に配置され、空調装置５を挟んで前後両側に配置された２つの天井用吊ボルト４ａ，４ａにも連結されている。これにより、機材用吊ボルト６ａ，６ａの前後方向への揺れが天井用吊ボルト４ａ，４ａに拘束されることになる。第１補強部材７１は、空調装置５の下端部から上方に５００ｍｍ以内の高さ位置に配置されているのが好ましい。
なお、天井用吊ボルト４ａと機材用吊ボルト６ａは、平面視で略同一直線状に配置されている（図１参照）が、図３においては、説明の便宜のため、両者を左右にずらして記載している。
【００２７】
第２補強部材７２は、空調装置５の右側に取り付けられた２つの機材用吊ボルト６ｂ，６ｂに連結されている。第２補強部材７２は、第１補強部材７１と同じ高さ位置に設置されている。また、第２補強部材７２の両端部は、一対の第１補強用吊ボルト２１に連結されている。一対の第１補強用吊ボルト２１については後記する。
【００２８】
一対の第３補強部材７３，７３は、平面視で第１補強部材７１及び第２補強部材７２に直交すると共に、空調装置５を挟んで前後両側に配置されている。各第３補強部材７３は、第１補強部材７１に連結された天井用吊ボルト４ａ，４ａにそれぞれ連結されていると共に、第１補強部材７１に直交する方向に配列された他の複数の天井用吊ボルト４に連結されている。これにより、第１補強部材７１及び第２補強部材７２に直交する方向に配列された複数の天井用吊ボルト４の左右方向の揺れが第３補強部材７３に拘束されることになる。
【００２９】
一対の第１補強用吊ボルト２１，２１は、長尺に形成された鋼製の棒状部材であり、第２補強部材７２と各第３補強部材７３との交点に配置されている。各第１補強用吊ボルト２１の上端側は、第２補強部材７２に連結されており、下端側は化粧天井３に連結されている（図３参照）。また、各第１補強用吊ボルト２１の中間部位には、第３補強部材７３が連結されている。これにより、空調装置５の右側に取り付けられた２つの機材用吊ボルト６ｂ，６ｂの前後方向の揺れが、第２補強部材７２及び第１補強用吊ボルト２１を介して第３補強部材７３に拘束されることとなる。
なお、第１補強用吊ボルト２１と機材用吊ボルト６ｂは、平面視で略同一直線状に配置されている（図１参照）が、図３においては、説明の便宜のため、両者を左右にずらして記載している。
【００３０】
斜め補強部材８は、図１に示すように、補強部材７に対して傾斜した方向（平面視で交差する方向）に延在して各機材用吊ボルト６を補強する部材である。斜め補強部材８は、長さ調節機構を有する伸縮可能な補強部材であり、例えば、建築用タイロッドなどで構成することができる。斜め補強部材８には、長さ調節機構を調節することにより引張力（緊張力）が作用している。そのため、斜め補強部材８が筋交いとして機能し、空調装置５の揺れが抑制される。
斜め補強部材８は、空調装置５の左側に設置された一対の斜め補強部材８ａ，８ａと、空調装置５の右側に設置された他の一対の斜め補強部材８ｂ，８ｂと、を備えて構成されている。
【００３１】
図３に示すように、一対の斜め補強部材８ａ，８ａの空調装置５側（基端側）の端部は、機材用吊ボルト６ａ，６ａの下端側にそれぞれ取り付けられている。また、一対の斜め補強部材８ａ，８ａの空調装置５と反対側（先端側）の端部は、第３補強部材７３と化粧天井３に掛け渡して設置された後記する一対の第２補強用吊ボルト２２に連結されている。一対の斜め補強部材８ａ，８ａは、平面視で、第１補強部材７１及び第３補強部材７３に対して約４５度の角度を成すように設置されている。
【００３２】
他の一対の斜め補強部材８ｂ，８ｂの空調装置５側（基端側）の端部は、機材用吊ボルト６ｂ，６ｂの下端側にそれぞれ取り付けられている。また、一対の斜め補強部材８ｂ，８ｂの空調装置５と反対側（先端側）の端部は、第１補強用吊ボルト２１の右側（第１補強部材７１と反対側）に隣接し第３補強部材７３に連結された一対の天井用吊ボルト４ｂ，４ｂにそれぞれ連結されている。
【００３３】
一対の第２補強用吊ボルト２２は、長尺に形成された鋼製の棒状部材であり、第１補強用吊ボルト２１と略同様の構造を呈している。各第２補強用吊ボルト２２の上端側は、第３補強部材７３に連結されており、第２補強用吊ボルト２２の下端側は、化粧天井３に連結されている。各第２補強用吊ボルト２２は、斜め補強部材８ａを取り付けたときに、第１補強部材７１及び第３補強部材７３に対して斜め補強部材８ａが４５度の角度となるように、第３補強部材７３及び化粧天井３に取り付けられている。
【００３４】
上部補強部材９は、天井用吊ボルト４の上端側付近に取り付けられる補強用の部材である。上部補強部材９は、例えば、断面コ字状の軽量溝形鋼で構成されている。上部補強部材９は、前後方向に水平に延設された複数の第１上部補強部材９１と、左右方向に水平に延設された複数の第２上部補強部材９２と、を格子状に組み合わせて構成されている。第１上部補強部材９１同士の間隔、及び、第２上部補強部材９２同士の間隔は、天井用吊ボルト４同士の間隔の２倍に設定されている（図１の２点鎖線参照）。ちなみに、上部補強部材９は、空調装置５の周辺だけでなく天井構造全体を補強するいわゆる建築補強部材であり、格子状に組まれた第１上部補強部材９１及び第２上部補強部材９２の他に、隣り合う天井用吊ボルト４同士の上端側と下端側とを斜めに連結するブレース材（図示省略）などを含んで構成されている。
【００３５】
複数の第１上部補強部材９１のうち、第１補強部材７１の上方に配置された第１上部補強部材９１ａは、第１補強部材７１に連結された一対の機材用吊ボルト６ａ，６ａ及び一対の天井用吊ボルト４ａ，４ａに連結されている。これにより、空調装置５の前後方向の揺れが一層低減されることとなる。
【００３６】
中間補強部材１０は、補強部材７と上部補強部材９との間の中間部位に設けられた補強用の部材である。中間補強部材１０は、補強部材７や上部補強部材９と同様に、例えば、断面コ字状の軽量溝形鋼で構成されている。中間補強部材１０は、前後方向に水平に延設された第１中間補強部材１１と、左右方向に水平に延設された一対の第２中間補強部材１２，１２と、を備えている。
【００３７】
第１中間補強部材１１は、第３補強部材７３と第２斜め補強部材８ｂとがそれぞれ取り付けられた２つの天井用吊ボルト４ｂ，４ｂに連結されている。本実施形態では、第１中間補強部材１１は、２つの天井用吊ボルト４ｂ，４ｂの中間に配置された別の天井用吊ボルト４にも連結されている（図１、図２参照）。これにより、２つの天井用吊ボルト４ｂ,４ｂの前後方向の揺れが第１中間補強部材１１に拘束される。
【００３８】
一対の第２中間補強部材１２，１２は、図１に示すように、平面視で第１中間補強部材１１に直交すると共に、空調装置５を挟んで前後両側に配置されている。各第２中間補強部材１２は、第１中間補強部材１１に取り付けられた天井用吊ボルト４ｂにそれぞれ取り付けられると共に、この天井用吊ボルト４ｂの左右両側に隣り合う２つの天井用吊ボルト４（４ａを含む）にも連結されている。これにより、天井用吊ボルト４ａの左右方向の揺れが拘束される。
【００３９】
図４は、補強部材と天井用吊ボルトとを連結金具で連結した状態を示す斜視図である。
連結金具Ｋは、図４に示すように、側面視で略台形状に屈曲形成された鋼製の板状部材であり、弾性を有するいわゆるバネクリップである。連結金具Ｋは、中央平板部Ｋ１と、この中央平板部Ｋ１の上端及び下端から傾斜して延出する一対の傾斜部Ｋ２，Ｋ２と、一対の傾斜部Ｋ２の上端及び下端から中央平板部Ｋ１と平行に延出する一対のフランジ部Ｋ３，Ｋ３と、を備えている。
各傾斜部Ｋ２は、互いに側面視でハ字状となるように配置されている。各傾斜部Ｋ２は、一方の側縁に開口する切欠き部Ｋ２ａを有している。
【００４０】
天井用吊ボルト４と補強部材７とを連結する場合には、天井用吊ボルト４に補強部材７を当てがい、補強部材７の上側で天井用吊ボルト４を一方の切欠き部Ｋ２ａに挿通する。そして、連結金具Ｋを弾性変形させながら、補強部材７の下側で天井用吊ボルト４を他方の切欠き部Ｋ２ａに挿通する。これにより、補強部材７が、連結金具Ｋの中央平板部Ｋ１と天井用吊ボルト４とに狭持される。最後に、補強部材７と中央平板部Ｋ１とをビスＶでビス留めすることで、天井用吊ボルト４と補強部材７の連結が完了する。
なお、他の吊ボルトと他の補強部材との連結についても同様である。連結金具Ｋは、主に、図１に示す白抜きの三角印の位置に設置するのが好ましいが、これに限定されるものではない。
【００４１】
本実施形態に係る天井補強構造１は、基本的に以上のように構成されるものであり、次に、天井補強構造１の作用効果について説明する。
【００４２】
本実施形態に係る天井補強構造１は、天井用吊ボルト４と機材用吊ボルト６とが、水平方向に延設された複数の補強部材７で連結されているので、空調装置５の揺れが補強部材７によって効果的に抑制されるとともに、化粧天井３と空調装置５とが一体的に揺れる構造となる。そのため、地震等の大きな揺れが生じても上部構造体Ｙに吊り下げ支持された空調装置５が化粧天井３に当接することがなく、化粧天井３（あるいは空調装置５）の損傷を防止することができる。
【００４３】
さらに具体的には、天井補強構造１は、少なくとも４つの機材用吊ボルト６ａ，６ａ，６ｂ，６ｂが、平面視で井桁状に組まれた第１、第２及び第３補強部材７１，７２，７３を介して複数の天井用吊ボルト４，４・・・に連結されており、また、各機材用吊ボルト６ａ，６ａ，６ｂ，６ｂは、第１及び第２斜め補強部材８ａ，８ｂを介して天井用吊ボルト４ｂ、４ｂ又は第２補強用吊ボルト２２，２２に連結されているので、空調装置５の揺れが一層抑制されるとともに化粧天井３と空調装置５の揺れの周期を一致させて両者を一体的に揺らすことができる。
【００４４】
また、天井補強構造１は、第１補強部材７１よりも上方で（換言すれば上部構造体Ｙに近い位置で）、第１上部補強部材９１によって天井用吊ボルト４ａ，４ａと機材用吊ボルト６ａ，６ａとが連結されているので、空調装置５の揺れが一層抑制されるとともに化粧天井３と空調装置５の揺れの周期を一致させて両者を一体的に揺らすことができる。
【００４５】
また、天井補強構造１は、補強部材７と上部補強部材９の間に中間補強部材１０が設置され、この中間補強部材１０によって第１斜め補強部材８ａが連結された天井用吊ボルト４ｂが補強されるので、空調装置５の揺れを一層抑制することができるとともに、空調装置５と化粧天井３の揺れの周期を一致させて両者を一体的に揺らすことができる。
【００４６】
以上、本発明の実施形態について図面を参照して詳細に説明したが、本発明はこれに限定されるものではなく、発明の主旨を逸脱しない範囲で適宜変更可能である。
【００４７】
本実施形態では、補強部材７と上部補強部材９の間に中間補強部材１０を設置したが、補強部材７と上部補強部材９の間隔が小さい（短い）場合は、中間補強部材１０を省略してもよい。
【００４８】
本実施形態では、補強部材と吊ボルトとを図４に示すような連結金具Ｋで連結したが、本発明はこれに限定されるものではなく、溶接などの他の方法で両者を連結してもよい。
【００４９】
本実施形態では、機材として空調装置５を例にとって説明したが、本発明はこれに限られるものではなく、例えば、化粧天井３を貫通して配置された図示しないダクトの給排気口などであってもよい。
【００５０】
本実施形態では、補強部材７、上部補強部材９、中間補強部材１０を軽量溝形鋼で構成したが、本発明はこれに限定されるものではなく、他の鋼材（例えばＬ形鋼等）で構成してもよい。
【符号の説明】
【００５１】
１      天井補強構造
３      化粧天井
４，４ａ，４ｂ      天井用吊ボルト
５      空調装置
６，６ａ，６ｂ      機材用吊ボルト
７      補強部材
７１    第１補強部材
７２    第２補強部材
７３    第３補強部材
８，８ａ，８ｂ      斜め補強部材
９      上部補強部材
１０    中間補強部材
２１    第１補強用吊ボルト
２２    第２補強用吊ボルト
Ｋ      連結金具
Ｙ      上部構造体
【図１】
2013060703.tif 000003
【図２】
2013060703.tif 000004
【図３】
2013060703.tif 000005
【図４】
2013060703.tif 000006